(57)【要約】【課題】  送信装置と受信装置とで構成されるワイヤレスシステムにおいて、閃光発光が不要な期間に受信装置で消費される電力量を低減し、受信装置の各回路に電源を供給する電池の消耗を抑える。【解決手段】  送信装置１４は、予備情報ＳＩ及び主情報ＣＩを光信号として出力する送信部２２を有する。受信装置１６は、予備情報ＳＩ及び主情報ＣＩを受信する受信部２６と、受信部２６により受信された主情報ＣＩに応答して動作する動作部３０とを有し、受信部２６により受信された予備情報ＳＩに応答して動作部３０を低消費電力状態から動作可能な状態に設定する。【選択図】      図１
2006345168.tif 000002
【特許請求の範囲】
【請求項１】
予備情報及び主情報を光信号として出力する送信部を有する送信装置と、
前記予備情報及び前記主情報を受信する受信部と、前記受信部により受信された前記主情報に応答して動作する動作部とを有し、前記受信部により受信された前記予備情報に応答して前記動作部を低消費電力状態から動作可能な状態に設定する受信装置とを備えることを特徴とするワイヤレスシステム。
【請求項２】
請求項１記載のワイヤレスシステムにおいて、
前記予備情報及び前記主情報は、前記受信装置の前記受信部により前記予備情報が受信された後から、前記動作部が前記動作可能な状態に設定されるまでの所定時間間隔を開けて前記送信部から順次に出力されることを特徴とするワイヤレスシステム。
【請求項３】
請求項１記載のワイヤレスシステムにおいて、
前記受信装置は、前記予備情報の受信後から所定時間が経過するまでに、前記受信部により前記主情報が受信されない時、前記動作部を前記低電力状態に戻すことを特徴とするワイヤレスシステム。
【請求項４】
請求項１記載のワイヤレスシステムにおいて、
前記受信装置は、前記主情報の受信後から所定時間が経過するまでに、前記受信部により前記予備情報及び次の主情報のいずれかが受信されない時、前記動作部を前記低消費電力状態に設定することを特徴とするワイヤレスシステム。
【請求項５】
請求項１記載のワイヤレスシステムにおいて、
前記送信装置の前記送信部から出力される前記主情報は、所定時間間隔を開けて前記送信部から出力される複数の副情報で構成され、
前記受信装置は、前記各副情報を受信した後から所定時間が経過するまでに、前記受信部により後続の副情報が受信されない時、前記動作部を前記低消費電力状態に設定することを特徴とするワイヤレスシステム。
【請求項６】
請求項１記載のワイヤレスシステムにおいて、
前記受信装置の前記動作部は、被写体に照射光を照射するために閃光発光する閃光発光部であり、
前記送信装置の前記送信部から出力される前記予備情報及び前記主情報は、前記閃光発光部を低消費電力状態から閃光発光可能な状態に設定する設定情報及び、前記閃光発光部の発光量を表す発光量情報にそれぞれ対応することを特徴とするワイヤレスシステム。
【請求項７】
請求項１記載のワイヤレスシステムにおいて、
前記受信装置は、クロック信号を生成する信号生成部を有するマイクロコンピュータを備え、
前記受信装置の前記マイクロコンピュータは、前記動作部が動作可能な状態に設定された時、信号生成部により生成されたクロック信号を前記動作部に出力し、前記動作部が低消費電力状態に設定された時、前記信号生成部に前記クロック信号の生成を停止させることを特徴とするワイヤレスシステム。
【請求項８】
送信部を有する送信装置と、受信部及び動作部を有する受信装置とを備えたワイヤレスシステムの動作方法であって、
送信部は予備情報及び主情報を光信号として出力し、
受信部は前記予備情報及び前記主情報を受信し、
動作部は前記受信部により受信された前記主情報に応答して動作し、
前記受信部により受信された前記予備情報に応答して前記動作部を低消費電力状態から動作可能な状態に設定することを特徴とするワイヤレスシステムの動作方法。
【請求項９】
請求項８記載のワイヤレスシステムの動作方法において、
前記予備情報及び前記主情報は、前記受信部により前記予備情報が受信された後から、前記動作部が前記動作可能な状態に設定されるまでの所定時間間隔を開けて前記送信部から順次に出力されることを特徴とするワイヤレスシステムの動作方法。
【請求項１０】
請求項８記載のワイヤレスシステムの動作方法において、
前記予備情報の受信後から所定時間が経過するまでに、前記受信部により前記主情報が受信されない時、前記動作部を前記低電力状態に戻すことを特徴とするワイヤレスシステムの動作方法。
【請求項１１】
請求項８記載のワイヤレスシステムの動作方法において、
前記主情報の受信後から所定時間が経過するまでに、前記受信部により前記予備情報及び次の主情報のいずれかが受信されない時、前記動作部を前記低消費電力状態に設定することを特徴とするワイヤレスシステムの動作方法。
【請求項１２】
請求項８記載のワイヤレスシステムの動作方法において、
前記送信部から出力される前記主情報は、所定時間間隔を開けて前記送信部から出力される複数の副情報で構成され、
前記各副情報を受信した後から所定時間が経過するまでに、前記受信部により後続の副情報が受信されない時、前記動作部を前記低消費電力状態に設定することを特徴とするワイヤレスシステムの動作方法。
【発明の詳細な説明】
【技術分野】
【０００１】
本発明は、送信装置と、送信装置から空間的に離れた位置に配置された受信装置とで構成されるワイヤレスシステム及びワイヤレスシステムの動作方法に関する。
【背景技術】
【０００２】
この種のワイヤレスシステムは、例えばストロボ閃光発光システムとして構成される。ストロボ閃光発光システムは、例えば、カメラ本体に取り付けられたマスタ閃光発光装置と、マスタ閃光発光装置から空間的に離れた位置に配置されたリモート閃光発光装置から構成されている。マスタ閃光発光装置は、リモート閃光発光装置の発光量や発光回数等の発光状態を設定するために、リモート閃光発光装置に向けて光信号を出力する送信回路を有している。リモート閃光発光装置は、送信回路から送信された光信号を受信する受信回路、被写体に照射光を照射するために閃光発光する閃光発光回路、受信された光信号に基づいて閃光発光回路を制御するマイクロコンピュータ、各回路に電源を供給する電池等を有している（例えば、特許文献１）。この種のワイヤレスシステムでは、リモート閃光発光装置のマイクロコンピュータは、例えば、受信された光信号に高速に応答するために、高周波のクロック信号を生成する信号生成部を有している。例えば、マイクロコンピュータは、信号生成部により生成されたクロック信号を用いて閃光発光回路等を制御する。
【特許文献１】特開２０００−７８０８９号公報
【発明の開示】
【発明が解決しようとする課題】
【０００３】
しかしながら、上述したワイヤレスシステムでは、マイクロコンピュータの信号生成部は、受信回路により光信号が受信されない間（閃光発光が不要な期間）にも、クロック信号を生成する。閃光発光が不要な期間にもマイクロコンピュータにより電池の充電電力が消費されるため、電池の寿命が短縮されるという問題があった。
本発明の目的は、送信装置と受信装置とで構成されるワイヤレスシステムにおいて、閃光発光が不要な期間に受信装置で消費される電力量を低減し、受信装置の各回路に電源を供給する電池の消耗を抑えることを目的とする。
【課題を解決するための手段】
【０００４】
請求項１のワイヤレスシステムでは、送信装置は、予備情報及び主情報を光信号として出力する送信部を有する。受信装置は、予備情報及び主情報を受信する受信部と、受信部により受信された主情報に応答して動作する動作部とを有し、受信部により受信された予備情報に応答して動作部を低消費電力状態から動作可能な状態に設定する。
請求項８のワイヤレスシステムの動作方法では、送信装置の送信部は予備情報及び主情報を光信号として出力し、受信装置の受信部は予備情報及び主情報を受信し、受信装置の動作部は受信部により受信された主情報に応答して動作し、受信部により受信された予備情報に応答して動作部を低消費電力状態から動作可能な状態に設定する。
【０００５】
請求項２のワイヤレスシステム及び請求項９のワイヤレスシステムの動作方法では、予備情報及び主情報は、受信装置の受信部により予備情報が受信された後から、動作部が動作可能な状態に設定されるまでの所定時間間隔を開けて送信部から順次に出力される。
請求項３のワイヤレスシステム及び請求項１０のワイヤレスシステムの動作方法では、受信装置は、予備情報の受信後から所定時間が経過するまでに、受信部により主情報が受信されない時、動作部を低電力状態に戻す。
【０００６】
請求項４のワイヤレスシステム及び請求項１１のワイヤレスシステムの動作方法では、受信装置は、主情報の受信後から所定時間が経過するまでに、受信部により予備情報及び次の主情報のいずれかが受信されない時、動作部を低消費電力状態に設定する。
請求項５のワイヤレスシステム及び請求項１２のワイヤレスシステムの動作方法では、送信装置の送信部から出力される主情報は、所定時間間隔を開けて送信部から出力される複数の副情報で構成され、受信装置は、各副情報を受信した後から所定時間が経過するまでに、受信部により後続の副情報が受信されない時、動作部を低消費電力状態に設定する。
【０００７】
請求項６のワイヤレスシステムでは、受信装置の動作部は、被写体に照射光を照射するために閃光発光する閃光発光部であり、送信装置の送信部から出力される予備情報及び主情報は、閃光発光部を低消費電力状態から閃光発光可能な状態に設定する設定情報及び、閃光発光部の発光量を表す発光量情報にそれぞれ対応する。
請求項７のワイヤレスシステムでは、受信装置は、クロック信号を生成する信号生成部を有するマイクロコンピュータを備え、受信装置のマイクロコンピュータは、動作部が動作可能な状態に設定された時、信号生成部により生成されたクロック信号を動作部に出力し、動作部が低消費電力状態に設定された時、信号生成部にクロック信号の生成を停止させる。
【発明の効果】
【０００８】
請求項１のワイヤレスシステム及び請求項８のワイヤレスシステムの動作方法では、受信装置は、受信部により予備情報が受信された時（動作部による動作が必要な期間）、動作部を動作可能な状態に設定し、受信部により受信された主情報に応答して動作させる。受信装置は、予備情報が受信されない時（動作部による動作が不要な期間）、動作部を低消費電力状態に設定する。このため、動作部による動作が不要な期間に、受信装置で消費される電力量を低減できる。この結果、受信装置に電力を供給する電池等の消耗を抑えることができる。
【０００９】
請求項２のワイヤレスシステム及び請求項９のワイヤレスシステムの動作方法では、予備情報及び主情報は、受信装置の受信部により予備情報が受信された後から、動作部が動作可能な状態に必要な時間間隔を開けて送信部から順次出力される。したがって、受信装置は、受信部により主情報が受信される前に、動作部を動作可能な状態に設定できる。このため、動作部は、受信された主情報に遅れることなく応答できる。この結果、動作部が誤動作することを防止できる。
【００１０】
請求項３のワイヤレスシステム及び請求項１０のワイヤレスシステムの動作方法では、動作部が動作可能な状態に設定される期間は、予備情報の受信後から所定時間が経過するまでの期間に限定される。すなわち、受信装置の電源である電池等から動作部を動作させるために必要な電力が供給される期間は、予備情報の受信後から所定時間が経過するまでの期間に限定される。このため、受信装置の電源である電池等の消耗を抑えることができる。
【００１１】
請求項４のワイヤレスシステム及び請求項１１のワイヤレスシステムの動作方法では、動作部が動作可能な状態に設定される期間は、主情報の受信後から所定時間が経過するまでの期間に限定される。すなわち、受信装置の電源である電池等から動作部を動作させるために必要な電力が供給される期間は、主情報の受信後から所定時間が経過するまでの期間に限定される。このため、受信装置の電源である電池等の消耗を抑えることができる。
【００１２】
請求項５のワイヤレスシステム及び請求項１２のワイヤレスシステムの動作方法では、動作部が動作可能な状態に設定される期間は、各副情報の受信後から所定時間が経過するまでの期間に限定される。すなわち、受信装置の電源である電池等から動作部を動作させるために必要な電力が供給される期間は、各副情報の受信後から所定時間が経過するまでの期間に限定される。このため、受信装置の電源である電池等の消耗を抑えることができる。
【００１３】
請求項６のワイヤレスシステムでは、受信装置は、設定情報の受信時（閃光発光部による閃光発光が必要な期間）、受信した発光量情報に基づいて閃光発光部を閃光発光させるために、閃光発光部を閃光発光可能な状態に設定する。受信装置は、設定情報が受信されない時（閃光発光部による閃光発光が不要な期間）、閃光発光部を低消費電力状態に設定する。このため、閃光発光部による閃光発光が不要な期間に、受信装置で消費される電力量を低減できる。この結果、受信装置に電力を供給する電池等の消耗を抑えることができる。
【００１４】
請求項７のワイヤレスシステムでは、信号生成部によりクロック信号が生成される期間は、動作部が動作可能な状態に設定された時（動作部による動作が必要な期間）に限定される。すなわち、受信装置の電源である電池等から信号生成部にクロック信号を生成させるために必要な電力が供給される期間は、動作部による動作が必要な期間に限定される。このため、受信装置の電源である電池等の消耗を抑えることができる。
【発明を実施するための最良の形態】
【００１５】
以下、図面を用いて本発明の実施形態を説明する。図１は、本発明のワイヤレスシステムの一実施形態を示している。この例では、ワイヤレスシステム１００は、被写体の撮影時、被写体に照射光を照射するために閃光発光する閃光発光システムとして構成される。ワイヤレスシステム１００は、カメラ本体１０のホットシュー１２に接続されるマスタ閃光発光装置１４と、リモート閃光発光装置１６とを有している。ホットシュー１２には、例えば、マスタ閃光発光装置１４とカメラ本体１０との間で各種情報を授受するための通信接点が設けられている。
【００１６】
マスタ閃光発光装置１４は、操作部１８、マスタ用マイクロコンピュータ２０（以下、マスタ用マイコン２０と記述する）及びマスタ閃光発光回路２２を有している。
操作部１８は、リモート閃光発光装置１６のリモート閃光発光回路３０（後述）を制御するための制御情報ＣＩを撮影者が入力するためのインタフェースとして機能する。
マスタ用マイコン２０は、ホットシュー１２の通信接点、操作部１８及びマスタ閃光発光回路２２に接続される。マスタ用マイコン２０は、例えば、被写体の撮影前に、操作部１８から受け取った制御情報ＣＩをマスタ閃光発光回路２２に出力する。また、制御情報ＣＩは、カメラ本体１０からホットシュー１２の通信接点を介して、マスタ用マイコン２０に与えられてもよい。
【００１７】
マスタ閃光発光回路２２は、マスタ用マイコン２０により制御され、図示しない高圧制御回路や放電管Ｘｅ等を有している。マスタ閃光発光回路２２は、高圧制御回路に電荷を充電させ、充電した電荷を用いて放電管Ｘｅを閃光発光させる。
マスタ閃光発光回路２２は、マスタ用マイコン２０から制御情報ＣＩを受け取り、受け取った制御情報ＣＩを、放電管Ｘｅの閃光発光により制御信号ＣＳとしてリモート閃光発光装置１６に出力する。
【００１８】
マスタ閃光発光回路２２は、制御信号ＣＳを出力する前に、放電管Ｘｅの閃光発光により切替信号ＳＳをリモート閃光発光装置１６に出力する。切替信号ＳＳは、後述するリモート用マイクロコンピュータ２８（以下、リモート用マイコン２８と記述する）の動作モードをスタンバイモードＳＴＢから通常動作モードＯＲＤに切り替えるためのパルス信号である。制御信号ＣＳ及び切替信号ＳＳの詳細は、図２で説明する。
【００１９】
リモート閃光発光装置１６は、カメラ本体１０及びマスタ閃光発光装置１４から離れた位置に配置され、操作部２４、リモート受信回路２６、リモート用マイコン２８及びリモート閃光発光回路３０等を有している。
操作部２４は、制御情報ＣＩを撮影者が入力するためのインタフェースとして機能する。撮影者により入力された制御情報ＣＩは、操作部２４からリモート用マイコン２８に出力される。
【００２０】
リモート受信回路２６は、マスタ閃光発光回路２２から受光した切替信号ＳＳ及び制御信号ＣＳを順次、光電変換する。リモート受信回路２６は、光電変換したアナログ信号をデジタル信号に変換し、変換したデジタル信号を切替情報ＳＩ及び制御情報ＣＩとしてリモート用マイコン２８に出力する。
リモート用マイコン２８は、操作部２４、又は、リモート受信回路２６から受け取った制御情報ＣＩに基づいて、各回路を制御する。リモート用マイコン２８は、発振回路３２、図３のデコーダ４６及びプロセッサ４８を有している。リモート用マイコン２８には、発振回路３２にクロック信号ＣＬＫ１（例えば、１０ＫＨｚ）を出力する水晶発振子３４が接続されている。
【００２１】
発振回路３２は、水晶発振子３４から受け取ったクロック信号ＣＬＫ１（例えば、１０ＫＨｚ）に基づいて、クロック信号ＣＬＫ２（例えば、１０ＭＨｚ）を生成し、生成したクロック信号ＣＬＫ２を各回路に出力する。
リモート用マイコン２８は、リモート閃光発光回路３０を閃光発光させるために発振回路３２の機能を有効にする通常動作モードＯＲＤと、リモート受信回路２６の機能のみ有効にするスタンバイモードＳＴＢの二つの動作モードを有している。
【００２２】
リモート用マイコン２８は、リモート受信回路２６から受け取った切替情報ＳＩに応答して、動作モードをスタンバイモードＳＴＢから通常動作モードＯＲＤに切り替える。すなわち、発振回路３２は、切替情報ＳＩに応答してクロック信号ＣＬＫ２の生成を開始する。リモート閃光発光回路３０は、リモート用マイコン２８により制御され、被写体に照射光を照射するために閃光発光する。
【００２３】
図２は、切替信号ＳＳ及び制御信号ＣＳの詳細を示している。図２（ａ）は、マスタ閃光発光回路２２（図１）の放電管Ｘｅから出力された切替信号ＳＳ及び制御信号ＣＳを示している。切替信号ＳＳは、制御信号ＣＳに先立って単発のパルス信号として出力される。制御信号ＣＳは、所定の時間を開けて複数回出力される。切替信号ＳＳ及び制御信号ＣＳは、この順番で、時間Ｔｗを開けて順次出力される。時間Ｔｗは、切替信号ＳＳの立ち上がり時から、制御信号ＣＳの先頭のパルス信号の立ち上がり時までの時間を示している。
【００２４】
図２（ｂ）は、制御信号ＣＳの詳細を示している。制御信号ＣＳは、チャンネル指定部ＣＡ及び制御情報部ＣＣで構成されている。チャンネル指定部ＣＡは、ワイアレスシステム１００と他のワイアレスシステムとを識別するための識別子ＤＩを示すパルス信号である。チャンネル指定部ＣＡは、３個のパルス信号（ＰＳ１、ＰＳ２、ＰＳ３）で構成される。時間Ｔ１、Ｔ２は、パルス信号ＰＳ１の立ち上がり時からパルス信号ＰＳ２の立ち上がり時までの時間、パルス信号ＰＳ２の立ち上がり時からパルス信号ＰＳ３の立ち上がり時までの時間をそれぞれ示している。時間Ｔ１と時間Ｔ２の比（例えば、１：３）は、ワイアレスシステム１００の識別子ＤＩとしてリモート用マイコン２８に認識される。
【００２５】
制御情報部ＣＣは、リモート閃光発光回路３０の放電管Ｘｅの発光量ＬＱや発光回数ＬＮ等を示す複数のパルス信号（ＰＳ４〜ＰＳｎ）で構成される。各パルス信号（例えば、パルス信号ＰＳ４）の立ち上がり時から、次のパルス信号（例えば、パルス信号ＰＳ５）の立ち上がり時までの時間（例えば、時間Ｔ３）は、リモート閃光発光回路３０の放電管Ｘｅの発光量ＬＱや発光回数ＬＮ等としてリモート用マイコン２８に認識される。
【００２６】
図３は、図１に示したリモート閃光発光装置１６の内部構成を示している。リモート閃光発光装置１６は、操作部２４、リモート受信回路２６、リモート用マイコン２８、リモート閃光発光回路３０、電池３６、ＤＣ／ＤＣコンバータ３８、昇圧回路４０、ＬＣＤ（Liquid Crystal Display）、ＬＣＤドライバ４２、ダイオードＤ１、Ｄ２を有している。
リモート受信回路２６は、フォトダイオードＤ３、抵抗Ｒ１、Ｒ２、Ｒ３、コンパレータ４４、ＭＯＳ−Ｔｒ（Metal Oxide Semiconductor Transistor）を有している。
【００２７】
フォトダイオードＤ３は、接続ノードＮＤ１及び電圧線ＰＳ１に接続される。フォトダイオードＤ３は、マスタ閃光発光回路２２の放電管Ｘｅから切替信号ＳＳ及び制御信号ＣＳを受光し、受光した光量に比例した電流を発生させる。
抵抗Ｒ１の一端及び他端は、接続ノードＮＤ１、ＮＤ２にそれぞれ接続される。抵抗Ｒ２の一端及び他端は、電圧線ＰＳ１及び接続ノードＮＤ３にそれぞれ接続される。抵抗Ｒ３の一端及び他端は、接続ノードＮＤ３、ＮＤ４にそれぞれ接続される。
【００２８】
コンパレータ４４の反転入力（−）端子及び非反転入力（＋）端子は、接続ノードＮＤ１及び接続ノードＮＤ３にそれぞれ接続される。コンパレータ４４は、接続ノードＮＤ１、ＮＤ２間の電圧値Ｖ１と、接続ノードＮＤ３、ＮＤ４間の電圧値Ｖ２とを比較する。
コンパレータ４４は、フォトダイオードＤ３に発生した電流により電圧値Ｖ１が電圧値Ｖ２を超えたことに応答して、デジタル信号”Ｌ”を切替情報ＳＩ及び制御情報ＣＩとしてリモート用マイコン２８に出力する。
【００２９】
ＭＯＳ−Ｔｒのドレイン端子、ソース端子及びゲート端子は、接続ノードＮＤ２、接地線ＧＮＤ及びリモート用マイコン２８の出力ポートにそれぞれ接続される。例えば、ＭＯＳ−Ｔｒは、接続ノードＮＤ２と接地線ＧＮＤとの接続を許可する信号（以下、接続許可信号ＣＥ）をリモート用マイコン２８の出力ポートから受け取る。
ＭＯＳ−Ｔｒは、接続許可信号ＣＥの高レベル（”Ｈ”）に応答して、接続ノードＮＤ２と接地線ＧＮＤとを接続する。この例では、フォトダイオードＤ３に切替信号ＳＳ及び制御信号ＣＳを受信させるために、接続許可信号ＣＥは常時高レベル（”Ｈ”）に設定される。
【００３０】
リモート用マイコン２８は、発振回路３２、デコーダ４６及びプロセッサ４８等を有している。デコーダ４６は、コンパレータ４４から受け取ったデジタル信号”Ｌ”を切替情報ＳＩ及び制御情報ＣＩとして解読する。
デコーダ４６は、受け取ったデジタル信号”Ｌ”から各時間（図２の時間Ｔ１、Ｔ２、Ｔ３）を算出し、算出した各時間に基づいて制御情報ＣＩ（識別子ＤＩ、発光量ＬＱ及び発光回数ＬＮ）として解読する。デコーダ４６は、解読した切替情報ＳＩ及び制御情報ＣＩを発振回路３２及びプロセッサ４８にそれぞれ出力する。
【００３１】
発振回路３２は、デコーダ４６から受け取った切替情報ＳＩに応答して、クロック信号ＣＬＫ２の生成を開始する。発振回路３２は、クロック信号ＣＬＫ２の生成開始後から時間Ｔｗが経過した時、各回路（ＤＣ／ＤＣコンバータ３８、昇圧回路４０及び発光制御回路５０）にクロック信号ＣＬＫ２を出力する。時間Ｔｗは、クロック信号ＣＬＫ２の生成開始後からクロック信号ＣＬＫ２が定常値（例えば、１０ＭＨｚ）に達するまでの時間を指す。
【００３２】
プロセッサ４８は、デコーダ４６から受け取った制御情報ＣＩを各回路に出力する。プロセッサ４８は、リモート用マイコン２８の出力ポートを介して各回路（ＤＣ／ＤＣコンバータ３８、昇圧回路４０、ＬＣＤドライバ４２及び発光制御回路５０）に後述する許可信号を出力する。
リモート閃光発光回路３０は、発光制御回路５０、高圧制御回路５２及び放電管Ｘｅを有している。発光制御回路５０は、プロセッサ４８から受け取った制御情報ＣＩを、発振回路３２から受け取ったクロック信号ＣＬＫ２のタイミングで読み出す。発光制御回路５０は、読み出した制御情報ＣＩに基づいて、高圧制御回路５２を介して放電管Ｘｅを制御する。高圧制御回路４８は、図示しないコンデンサや変圧器等を有している。
【００３３】
高圧制御回路４８は、放電管Ｘｅを閃光発光させるために、コンデンサ及び変圧器を用いて電圧を発生させる。高圧制御回路４８は、発生させた電圧を放電管Ｘｅのトリガ端子に加えることで、放電管Ｘｅ内のキセノンガスを励起する。この励起により、放電管Ｘｅは閃光発光する。
発光制御回路５０の入力端子は、リモート用マイコン２８の出力ポートに接続される。発光制御回路５０は、高圧制御回路５２の制御を許可する信号（以下、発光許可信号ＬＥ）をリモート用マイコン２８の出力ポートから受け取る。発光制御回路５０は、発光許可信号ＬＥの高レベル（”Ｈ”）に応答して、高圧制御回路５２の制御を開始する。
【００３４】
電池３６は、充電可能な電池である。電池３６は、端子電圧の値が所定の電圧値（例えば、３.０Ｖ）になるまで充電される。電池３６の陰極端子は、接地線ＧＮＤに接続される。電池３６の陽極端子は、各回路に直流電圧（例えば、３.０Ｖ）を出力するために、ＤＣ／ＤＣコンバータ３８、ダイオードＤ１及び昇圧回路４０に接続される。電池３６により出力された直流電圧（例えば、３.０Ｖ）は、ダイオードＤ１及び電圧線ＰＳ１を介して各回路の電源端子に入力される。
【００３５】
ＤＣ／ＤＣコンバータ３８は、プロセッサ４８から受け取った制御情報ＣＩを、発振回路３２から受け取ったクロック信号ＣＬＫ２のタイミングで読み出す。ＤＣ／ＤＣコンバータ３８は、読み出した制御情報ＣＩに基づいて、電池３６から入力した直流電圧（例えば、３.０Ｖ）を所定の直流電圧（例えば、５.０Ｖ）に昇圧し、昇圧した直流電圧（例えば、５.０Ｖ）をダイオードＤ２及び電圧線ＰＳ１を介して各回路の電源端子に入力する。
【００３６】
ＤＣ／ＤＣコンバータ３８の入力端子は、リモート用マイコン２８の出力ポートに接続される。例えば、ＤＣ／ＤＣコンバータ３８は、電池３６から入力した直流電圧（例えば、３.０Ｖ）の昇圧を許可する信号（以下、昇圧許可信号ＳＥ）をリモート用マイコン２８の出力ポートから受け取る。ＤＣ／ＤＣコンバータ３８は、昇圧許可信号ＳＥの高レベル（”Ｈ”）に応答して、直流電圧（例えば、３.０Ｖ）の昇圧を開始する。
【００３７】
昇圧回路４０は、プロセッサ４８から受け取った制御情報ＣＩを、発振回路３２から受け取ったクロック信号ＣＬＫ２のタイミングで読み出す。昇圧回路４０は、読み出した制御情報ＣＩに基づいて、電池３６から入力した直流電圧（例えば、３.０Ｖ）を所定の電圧値（例えば、３００Ｖ）に昇圧し、昇圧した直流電圧（例えば、３００Ｖ）を電圧線ＰＳ２を介して高圧制御回路５２及び放電管Ｘｅに出力する。
【００３８】
昇圧回路４０の入力端子は、リモート用マイコン２８の出力ポートに接続される。昇圧回路４０は、電池３６から入力した直流電圧（例えば、３.０Ｖ）の昇圧を許可する信号（以下、昇圧許可信号ＰＥ）をリモート用マイコン２８の出力ポートから受け取る。昇圧回路４０は、昇圧許可信号ＰＥの高レベル（”Ｈ”）に応答して、電池３６から入力した直流電圧（例えば、３．０Ｖ）の昇圧を開始する。
【００３９】
ＬＣＤは、ＬＣＤドライバ４２を介してリモート用マイコン２６により制御される。ＬＣＤは、時刻や動作モード（スタンバイモードＳＴＢ及び通常動作モードＯＲＤ）等を表示する。ＬＣＤドライバ４２には、ＬＣＤドライバ４２にクロック信号ＣＬＫ３（例えば、３２ＫＨｚ）を出力する水晶発振子５４が接続されている。
ＬＣＤドライバ４２は、プロセッサ４８から受け取った制御情報ＣＩを、水晶発振子５４から受け取ったクロック信号ＣＬＫ３（例えば、３２ＫＨｚ）のタイミングで読み出す。ＬＣＤドライバ４２は、読み出した制御情報ＣＩに基づいて、ＬＣＤに時刻や動作モード等を表示させる。
【００４０】
ＬＣＤドライバ４２の入力端子は、リモート用マイコン２８の出力ポートに接続される。ＬＣＤドライバ４２は、ＬＣＤの制御を許可する信号（以下、表示許可信号ＩＥ）をリモート用マイコン２８の出力ポートから受け取る。ＬＣＤドライバ４２は、表示許可信号ＩＥの高レベル（”Ｈ”）に応答して、ＬＣＤの制御を開始する。
図４は、ワイヤレスシステム１００の閃光発光動作を示している。この例では、初期状態（時刻０）において、リモート用マイコン２８の動作モードはスタンバイモードＳＴＢに設定される。
【００４１】
時刻Ｔａにおいて、リモート用マイコン２８の動作モードをスタンバイモードＳＴＢから通常動作モードＯＲＤに切り替えるために、マスタ閃光発光回路２２は、放電管Ｘｅの閃光発光により切替信号ＳＳをリモート受信装置１６に出力する。
時刻Ｔｂにおいて、マスタ閃光発光回路２２から出力された閃光発光は、フォトダイオードＤ３により切替信号ＳＳとして受光される。フォトダイオードＤ３は、受光した光量に比例した電流を発生させる。この時、コンパレータ４４は、電圧値Ｖ１が電圧値Ｖ２を超えたことに応答して、デジタル信号”Ｌ”を切替情報ＳＩとして発振回路３２に出力する。発振回路３２は、コンパレータ４４からデコーダ４６を介して受け取った切替情報ＳＩに応答して、クロック信号ＣＬＫ２の生成を開始する（すなわち、リモート用マイコン２８の動作モードがスタンバイモードＳＴＢから通常動作モードＯＲＤに切り替わる）。
【００４２】
時刻Ｔｃ（切替信号ＳＳの出力（時刻Ｔａ）から時間Ｔｗが経過した時）において、マスタ閃光発光回路２２は、放電管Ｘｅの閃光発光により制御信号ＣＳのリモート受信装置１６への出力を開始する。
時刻Ｔｄ（切替信号ＳＳの受光及びクロック信号ＣＬＫ２の生成開始（時刻Ｔｂ）から時間Ｔｗが経過した時）において、マスタ閃光発光回路２２から出力された閃光発光は、フォトダイオードＤ３により制御信号ＣＳとして受光される。コンパレータ４４は、フォトダイオードＤ３に発生した電流により電圧値Ｖ１が電圧値Ｖ２を超えたことに応答して、デジタル信号”Ｌ”を制御情報ＣＩとしてプロセッサ４８に出力する。発振回路３２は、クロック信号ＣＬＫ２が安定したことに応答して、各回路（発光制御回路５０、ＤＣ／ＤＣコンバータ３８及び昇圧回路４０）へのクロック信号ＣＬＫ２の出力を開始する。この時、プロセッサ４８は、各許可信号（発光許可信号ＬＥ、昇圧許可信号ＳＥ、昇圧許可信号ＰＥ及び表示許可信号ＩＥ）のレベルを”Ｈ”に設定し、各回路（発光制御回路５０、ＤＣ／ＤＣコンバータ３８、昇圧回路４０及びＬＣＤドライバ４２）への制御情報ＣＩの出力を開始する。そして、各回路（発光制御回路５０、ＤＣ／ＤＣコンバータ３８、昇圧回路４０及びＬＣＤドライバ４２）は、出力された制御情報ＣＩの読み出しを開始する。このように、切替信号ＳＳの受光後、各回路（発光制御回路５０、ＤＣ／ＤＣコンバータ３８、昇圧回路４０及びＬＣＤドライバ４２）により制御信号ＣＩが読み出されるまでの時間Ｔｗは、クロック信号ＣＬＫ２の生成開始からクロック信号ＣＬＫ２が安定するまでの時間Ｔｗに等しい。このため、各回路（発光制御回路５０、ＤＣ／ＤＣコンバータ３８、昇圧回路４０及びＬＣＤドライバ４２）は、プロセッサ４８から受け取った制御情報ＣＩを、安定したクロック信号ＣＬＫ２を用いて読み出すことができる。この結果、各回路が誤動作することを防止できる。
【００４３】
時刻Ｔｅにおいて、コンパレータ４４は、制御情報ＣＩの出力を終了する。発光制御回路５０は、読み出した制御情報ＣＩ（発光量ＬＱや発光回数ＬＮ等）に基づいて、所定の発光量や発光回数等で放電管Ｘｅを閃光発光させる。
時刻Ｔｆ（ダイオードＤ３による切替信号ＳＳの受光後（時刻Ｔｂ）から時間Ｔｇが経過するまでに切替信号ＳＳ及び次の制御信号ＣＳのいずれかが受光されない時）において、発振回路３２は、各回路（発光制御回路５０、ＤＣ／ＤＣコンバータ３８及び昇圧回路４０）に出力するクロック信号ＣＬＫ２の生成を停止する（すなわち、リモート用マイコン２８の動作モードが通常動作モードＯＲＤからスタンバイモードＳＴＢに再度切り替わる）。この時、プロセッサ４８は、各許可信号（発光許可信号ＬＥ、昇圧許可信号ＳＥ、昇圧許可信号ＰＥ及び表示許可信号ＩＥ）のレベルを”Ｌ”に設定し、各回路（発光制御回路５０、ＤＣ／ＤＣコンバータ３８、昇圧回路４０及びＬＣＤドライバ４２）への制御情報ＣＩの出力を停止する。
【００４４】
以上、この実施形態では、通常動作モードＯＲＤ時（時刻Ｔｂ〜時刻Ｔｆ）のみで、発振回路３２によるクロック信号ＣＬＫ２の生成や、各回路（発光制御回路５０、ＤＣ／ＤＣコンバータ３８、昇圧回路４０及びＬＣＤドライバ４２）によるクロック信号ＣＬＫ２の読み出しによって、電池３６から供給される電力が消費される。このため、リモート閃光発光回路２２を閃光発光させる必要のないスタンバイモードＳＴＢ時（時刻０〜時刻Ｔｂ、時刻Ｔｆ以降）に、電池３６から供給される電力が消費されることを防止できる。この結果、電池３６の消耗を抑えることができる。
【００４５】
なお、上述した実施形態では、時刻Ｔｆにおいて、発振回路３２は、各回路に出力するクロック信号ＣＬＫ２の生成を停止し、プロセッサ４８は、各許可信号のレベルを”Ｌ”に設定する例について述べた。本発明は、かかる実施形態に限定されるものではない。図５に示すように、時刻Ｔｅ（ダイオードＤ３による切替信号ＳＳの受光後（時刻Ｔｂ）から時間Ｔｈが経過するまでに制御信号ＣＳが受光されない時）において、発振回路３２は、各回路に出力するクロック信号ＣＬＫ２の生成を停止し、プロセッサ４８は、各許可信号のレベルを”Ｌ”に設定するものでもよい。これにより、時刻Ｔｂ〜時刻Ｔｅ（通常動作モードＯＲＤ時）のみで、発振回路３２によるクロック信号ＣＬＫ２の生成や、各回路（発光制御回路５０、ＤＣ／ＤＣコンバータ３８、昇圧回路４０及びＬＣＤドライバ４２）による制御情報ＣＩの読み出し等によって、電池３６から供給される電力が消費される。このため、スタンバイモードＳＴＢ時（時刻０〜時刻Ｔｂ、時刻Ｔｅ以降）に、電池３６から供給される電力が消費されることを防止できる。この結果、電池３６の消耗を抑えることができる。
【００４６】
また、図６に示すように、時刻Ｔｅ（ダイオードＤ３によるチャンネル指定部ＣＡの受光後（時刻Ｔｄ）から時間Ｔｉが経過するまでに制御情報部ＣＣが受光されない時）において、発振回路３２は、各回路に出力するクロック信号ＣＬＫ２の生成を停止し、プロセッサ４８は、各許可信号のレベルを”Ｌ”に設定し、各回路への制御情報ＣＩの出力を停止するものでもよい。これにより、時刻Ｔｂ〜時刻Ｔｅ（通常動作モードＯＲＤ時）のみで、発振回路３２によるクロック信号ＣＬＫ２の生成や、各回路（発光制御回路５０、ＤＣ／ＤＣコンバータ３８、昇圧回路４０及びＬＣＤドライバ４２）による制御情報ＣＩの読み出し等によって、電池３６から供給される電力が消費される。このため、スタンバイモードＳＴＢ時（時刻０〜時刻Ｔｂ、時刻Ｔｅ以降）に、電池３６から供給される電力が消費されることを防止できる。この結果、電池３６の消耗を抑えることができる。
【００４７】
上述した実施形態では、ＬＣＤに時刻や動作モード等が表示される期間は、通常動作モードＯＲＤ時（時刻Ｔｂ〜時刻Ｔｆ）である例について述べた。本発明は、かかる実施形態に限定されるものではない。ＬＣＤに時刻や動作モード等が表示される期間は、スタンバイモードＳＴＢ時（時刻０〜時刻Ｔｂ、時刻Ｔｆ以降）及び通常動作モードＯＲＤ時（時刻Ｔｂ〜時刻Ｔｆ）の両方でもよい。具体的には、リモート用マイコン２８は、クロック信号ＣＬＫ３（例えば、３２ＫＨｚ）を生成する発振回路と、液晶ドライバとを有しているものでもよい。リモート用マイコン２８は、スタンバイモードＳＴＢ時（時刻０〜時刻Ｔｂ、時刻Ｔｅ以降）に、クロック信号ＣＬＫ３のタイミングで時刻や動作モード等を示す情報を読み出し、読み出した時刻や動作モード等を液晶ドライバを介してＬＣＤに表示させるものでもよい。これにより、撮影者は、スタンバイモードＳＴＢ時（時刻０〜時刻Ｔｂ、時刻Ｔｅ以降）でも時刻や動作モード等を視認できる。
【００４８】
以上、本発明について詳細に説明してきたが、上記の実施形態及びその変形例は発明の一例に過ぎず、本発明はこれに限定されるものではない。本発明を逸脱しない範囲で変形可能であることは明らかである。
【産業上の利用可能性】
【００４９】
本発明は、送信装置と、送信装置から空間的に離れた位置に配置された受信装置とで構成されるワイヤレスシステム及びワイヤレスシステムの動作方法に適用される。
【図面の簡単な説明】
【００５０】
【図１】本発明のクランプ装置及び撮像装置の一実施形態を示すブロック図である。
【図２】切替信号及び制御信号の詳細を示す波形図である。
【図３】リモート閃光発光装置の内部構成を示すブロック図である。
【図４】ワイヤレスシステムの閃光発光動作を示すタイミングチャートである。
【図５】ワイヤレスシステムの閃光発光動作を示すタイミングチャートである。
【図６】ワイヤレスシステムの閃光発光動作を示すタイミングチャートである。
【符号の説明】
【００５１】
１０  カメラ本体、１２  ホットシュー、１４  マスタ閃光発光装置、１６  リモート閃光発光装置、１８、２４  操作部、２０  マスタ用マイクロコンピュータ、２２  マスタ閃光発光回路、２６  リモート受信回路、２８  リモート用マイクロコンピュータ、３０  リモート閃光発光回路、３２  発振回路、３４、５４  水晶発振子、３６  電池、３８  ＤＣ／ＤＣコンバータ、４０  昇圧回路、４２  ＬＣＤドライバ、４４  コンパレータ、４６  デコーダ、４８  プロセッサ、５０  発光制御回路、５２  高圧制御回路、１００  ワイヤレスシステム、Ｄ１、Ｄ２、Ｄ３、Ｄ４  ダイオード、ＧＮＤ  接地線、ＮＤ１、ＮＤ２、ＮＤ３、ＮＤ４  接続ノード、Ｒ１、Ｒ２、Ｒ３、Ｒ４  抵抗、ＰＳ１、ＰＳ２  電圧線、Ｘｅ  放電管
【図１】
2006345168.tif 000003
【図２】
2006345168.tif 000004
【図３】
2006345168.tif 000005
【図４】
2006345168.tif 000006
【図５】
2006345168.tif 000007
【図６】
2006345168.tif 000008